【事件の表示】
　特願２００１−６５５８６「建材の梱包材」拒絶査定不服審判事件〔平成１４年９月１８日出願公開、特開２００２−２６４９２４〕について、次のとおり審決する。
【結　論】
　本件審判の請求は、成り立たない。
【理　由】
１　手続の経緯
　本願は、平成１３年３月８日の出願であって、平成１８年１２月１５日付けで拒絶査定がなされ、これに対し、平成１９年２月８日に拒絶査定不服審判の請求がなされ、平成２１年１月２３日付けで当審より拒絶理由が通知され、平成２１年４月３日に明細書を対象とする手続補正がなされたものである。
　
２　本願発明
　平成２１年４月３日になされた手続補正によって補正された明細書の記載からみて、本願の請求項１に係る発明は、特許請求の範囲の請求項１に記載された事項によって特定されるとおりのものと認める。そして、その請求項１の記載は、次のとおりである。（以下、「本願発明」という。）
　「段ボールよりなる廻り階段の踏み板の梱包材であって、養生材の作成を補助する裁断補助線が、前記廻り階段の踏み板の表面及び段鼻を、一体化された表面保護部分と段鼻保護部分によって保護可能な状態に裁断されることが可能なように付されており、かつその裁断補助線とは別に、前記表面保護部分と段鼻保護部分との境に折り曲げ容易に型押しよりなる折り曲げ補助線が付されており、開梱後、その裁断補助線に沿って裁断されると、梱包されていた廻り階段の踏み板の汚染，損傷防止用の養生材として転用可能に構成されていることを特徴とする階段の踏み板の梱包材。」
　
３　引用例及びその記載事項
　平成２１年１月２３日付けで当審より通知された拒絶理由に引用された、本願の出願前に頒布された刊行物である特開２００１−２１５８号公報（以下、「引用例」という。）には、次の記載がある。
　
　「【０００１】【発明の属する技術分野】本発明は、養生シートを兼ねた踏板梱包材に関し、詳しくは、階段の踏板を梱包する梱包材を有効利用して階段の施工後の踏板の養生を図ろうとする技術に係るものである。」
　「【００１０】階段の踏板１においては、主として踏板表面１ａと踏板前面１ｂとが商品面となっており、階段施工に一定期間にわたって保護（養生）するものである。
【００１１】梱包材５は、例えばダンボール紙を使用して図２（ａ）に示すように、梱包材５の表面において、踏板１の踏板表面１ａに相当する平面部位置に表面養生材２ａを貼着している。又、同図（ｂ）に示すように、梱包材５の裏面において、踏板１の踏板前面１ｂに相当する側面部位置に前面養生材２ｂを貼着している。上記養生材２ａ，２ｂは、例えば厚紙等の紙製品、パーチクルボード、合板、中密度繊維板（ＭＤＦ）等の木質材料、樹脂製シート、樹脂発泡材等が使用される。
【００１２】しかして、図１に示すように、養生材２ａ，２ｂを貼着した梱包材５にて踏板１を、例えば梱包テープ（図示せず）を使って梱包するのである。図２においては、符号７、８、９、１０、１１は折り目であり、符号１３は梱包材５の切断目安を示し、現場で踏板１の寸法に合わせて切断して調整するものである。
【００１３】図１に示すように、階段の施工が終えた後、梱包材５を展開させて梱包材５及び養生材２ａ，２ｂをカッターナイフ等にて切断して踏板１の左右寸法に合わせるのである。具体的には、前面養生材２ｂを踏板前面１ｂに、表面養生材２ａを踏板表面１ａ側にして接着テープ（図示せず）にて止めるのである。この場合、垂下片１４を上位のものの起立片１５に接着テープや接着剤にて接続して、蹴込み板１６をも保護（養生）するようにするのである。
【００１４】このように、階段の踏板１の梱包材５における踏板表面１ａに相当する平面部位置に表面養生材２ａを、踏板前面１ｂに相当する側面部位置に前面養生材２ｂを付設し、階段の施工時に梱包材２を開いて踏板表面１ａ側に表面養生材２ａを、踏板前面１ｂ側に前面養生材２ｂを配するのであり、梱包された状態で踏板表面１ａや踏板前面１ｂが損傷されるのを充分に防止しながら、梱包材５を有効に利用して施工後における踏板１の踏板表面１ａ及び踏板前面１ｂを充分に養生することができ、かつ、従来は廃棄されていた梱包材５を有効に利用できるのである。…
【００１５】この場合、表面養生材２ａを折り目８である折り曲げ縁に寄せていて、折り曲げ縁において折り曲げることで、表面養生材２ａを踏板表面１ａに良好に添わせることができて養生機能を高めることができるものである。
【００１６】図３及び図４は他の実施の形態を示し、図３（ａ）は断面図、同図（ｂ）は施工後の養生時の断面図、図４は梱包材５の裏面を示す展開底面図である。但し、本実施の形態の基本構成は上記実施の形態と共通であり、共通する部分には同一の符号を付して説明は省略する。
【００１７】本実施の形態においては、梱包材５の裏面に表面養生材２ａを付設し、表面養生材２ａの一側部に複数の折り曲げ案内縁３を略平行に形成しているものである。折り曲げ案内縁３は、表面養生材２ａを完全に切断して形成してもよく、又、一部を残すように切断して形成してもよいものである。
【００１８】このような構成によれば、施工現場において踏板１を切断して踏板１の後端を切断して奥行（踏み幅）寸法を変更する場合においても、複数の折り曲げ案内縁３のうちから所定のものを選択して折り曲げることで、踏板１の奥行寸法の変更にも容易に対処することができるものである。」
　「【００１９】図５乃至図７は他の実施の形態を示し、図５は断面図、図６は梱包材の裏面を示す展開底面図、図７は梱包材の表面を示す展開平面図である。但し、本実施の形態の基本構成は上記実施の形態と共通であり、共通する部分には同一の符号を付して説明は省略する。
【００２０】本実施の形態においては、回り階段用の複数（本例では３枚）に分割された回り踏板４，４，４の梱包材５に各回り踏板形状に相当する回り踏板表面養生材２ｃ，２ｃ，２ｃを貼着している。又、回り踏板前面１ｄに対する回り踏板前面養生材２ｂ，２ｂ，２ｂを付設している。更に、梱包材５に蹴込み板保護片１７の切断位置を表示する切断目印６を形成している。
【００２１】しかして、回り階段の施工時に梱包材５を開いて各回り踏板表面養生材２ｃを切断して、回り踏板表面養生材２ｃを回り踏板表面１ｃ側に配設する。又、切断目印６において切断して蹴込み板保護片１７を蹴込み板１６の前方に配するとともに、回り踏板前面１ｄ側に回り踏板前面養生材２ｄを配設するのである。この場合、図５に示すように、蹴込み板保護片１７の上片１７ａを回り踏板表面養生材２ｃの裏面に接着剤にて接着する。
【００２２】このように、梱包材５に各回り踏板４の各回り踏板表面１ｃに対する回り踏板表面養生材２ｃ…を、又、回り踏板前面１ｄに対する回り踏板前面養生材２ｄ…を付設しておき、梱包材５に蹴込み板保護片１７の切断位置を表示する切断目印６を形成しておくことで、梱包された状態で回り踏板表面１ｃや回り踏板前面１ｄが損傷されるのを充分に防止しながら、梱包材５を有効に利用して施工後における回り踏板４の回り踏板表面１ｃ…及び回り踏板前面１ｄ…を充分に養生することができ、かつ、切断した蹴込み板保護片１７によって蹴込み板１６に保護することができ、従来は廃棄されていた梱包材５を有効に利用できるのである。図８及び図９は、同上の他例を示している。」
　
　以上の記載並びに図８ないし図９によれば、引用例には、次の発明が記載されていると認められる。（以下、「引用発明」という。）
「ダンボール紙よりなる回り階段の踏板の梱包材であって、梱包材における回り踏板の踏板表面１ｃに相当する平面部位置に表面養生材２ｃが付設され切断目安１３が設けられた保護部分と、回り踏板前面１ｄに相当する側面部位置に前面養生材２ｄが付設され切断目安１３が設けられた保護部分と、開梱後、切断目安１３を目安にして切断され、回り踏板表面１ｃ側に表面養生材２ｃが、回り踏板前面１ｄ側に前面養生材２ｄが配されて、両保護部分が接着され、階段の施工時に、梱包されていた回り階段の踏板の踏板表面１ｃ及び踏板前面１ｄを充分に保護することができる養生シートとして使用されるように構成されている階段の踏板の梱包材。」
　
４　対比・検討
　本願発明と引用発明とを対比すると、引用発明の「ダンボール紙」、「回り階段」、「切断目安」、「踏板前面」、「保護する」及び「養生シート」は、それぞれ本願発明の「段ボール」、「廻り階段」、「裁断補助線」、「踏み板の段鼻」、「汚染，損傷防止」及び「養生材」に相当する。
　そうすると、両者は、
「段ボールよりなる廻り階段の踏み板の梱包材であって、養生材の作成を補助する裁断補助線が、踏み板の表面及び段鼻を、表面保護部分と段鼻保護部分によって保護可能な状態に裁断されることが可能なように付されており、開梱後、その裁断補助線に沿って裁断されると、梱包されていた廻り階段の踏み板の汚染，損傷防止用の養生材として転用可能に構成されている階段の踏み板の梱包材。」
である点で一致し、次の点で相違する。
　
　相違点
　本願発明では、養生材の表面保護部分と段鼻保護部分とが一体化されており、表面保護部分と段鼻保護部分との境に折り曲げ容易に型押しよりなる折り曲げ補助線が付されているのに対し、引用発明では、表面を保護する保護部分と段鼻（踏板前面）を保護する保護部分とが別体であり、これらを梱包材から切断してから両保護部分を接着して一体化するものであり、折り曲げ補助線が付されていない点。
　
　そこで上記相違点について検討すると、引用例には、通常の階段の梱包材に、表面を保護する保護部分と段鼻（踏板前面）を保護する保護部分とを一体した養生シートを裁断可能なように裁断補助線（切断目安）を付しており、かつその裁断補助線とは別に、表面保護部分と段鼻保護部分との境に折り目が付されるように構成すること（引用例段落【００１２】、【００１５】参照）、梱包材の折り曲げ縁以外の場所が表面を保護する保護部分と段鼻（踏板前面）を保護する保護部分との境になる場合には、当該境になる箇所に折り曲げ案内縁を形成すること（引用例段落【００１７】参照）が記載されている。また、段ボールよりなる梱包材等において、折り曲げ箇所に型押しによる線を設けて折り曲げ容易にすることは、本願の出願前に周知慣用の技術である。
　そうすると、引用発明に、表面を保護する保護部分と段鼻（踏板前面）を保護する保護部分とを一体した養生シートを裁断可能なように裁断補助線（切断目安）を付す構成を適用し、その際、表面保護部分と段鼻保護部分との境における折り曲げ案内縁に上記周知慣用の技術を適用して、相違点に係る本願発明の事項とすることは、当業者が容易になし得たことである。
　しかも、本願発明が奏する効果も、引用発明、引用例に記載された事項及び周知慣用の技術から当業者が予測し得たものであり、格別顕著なものとはいえない。
　したがって、本願発明は、引用発明に基いて、当業者が容易に発明をすることができたものである。
　
５　まとめ
　以上のとおりであるから、本願発明は、特許法第２９条第２項の規定により特許を受けることができない。
　よって、結論のとおり審決する。